(57)【要約】      （修正有）【課題】カメラのサイズを減少させ、このカメラを搭載する移動端末のサイズ及び構造を最適化可能とする。【解決手段】撮像用電子機器は、画像を取り込む撮像センサを備える。撮像用電子機器は更に、レンズアセンブリを備える。レンズアセンブリは、第１のレンズ１１１と第２のレンズ１１２とを含む。第１のレンズ１１１と第２のレンズ１１２とは、光軸と平行な第１の方向で少なくとも部分的に重なり合う。レンズホルダは、第１のレンズ１１１と第２のレンズ１１２との間の相対配置を光軸直交方向に調整して画像の焦点を撮像センサ上に合わせる。【選択図】図１ａ
2017120362.tif 000002
【特許請求の範囲】
【請求項１】
光軸に沿って画像を作動的に取り込む撮像センサと、
第１のレンズと、第２のレンズとを含むレンズアセンブリと、
前記レンズアセンブリを保持するレンズホルダ、とを備え、
前記第１及び第２のレンズは、前記光軸と平行する第１の方向で少なくとも部分的に重なり合い、前記レンズホルダは、前記第１及び第２のレンズとの間の相対配置を作動的に調整して前記撮像センサ上に前記画像の焦点を合わせる、ことを特徴とする撮像機器。
【請求項２】
前記第１のレンズ及び前記第２のレンズはそれぞれ、前記光軸と直交する第２の方向に移動可能であり、前記第１のレンズ及び前記第２のレンズの移動方向が互いに逆である、ことを特徴とする請求項１に記載の撮像機器。
【請求項３】
前記第１のレンズ及び前記第２のレンズのうちの少なくとも一方が、前記光軸と平行する前記第１の方向に移動可能である、ことを特徴とする請求項１に記載の撮像機器。
【請求項４】
前記第１のレンズ及び第２のレンズはそれぞれ、前記光軸と平行する前記第１の方向に移動可能であり、前記第１のレンズ及び前記第２のレンズの移動方向が互いに逆である、ことを特徴とする請求項３に記載の撮像機器。
【請求項５】
前記第１のレンズ及び前記第２のレンズのうちの少なくとも一方の厚みが、前記光軸と直交する第２の方向において上端から下端に向かうにつれて漸減し、前記第１のレンズ及び前記第２のレンズのうちの他方の厚みが、前記第２の方向において下端から上端に向かうにつれて漸減する、ことを特徴とする請求項１に記載の撮像機器。
【請求項６】
前記第１のレンズ及び前記第２のレンズのうちの一方が凸レンズであり、他方が凹レンズである、ことを特徴とする請求項１に記載の撮像機器。
【請求項７】
第３のレンズを含む第２のレンズアセンブリを更に備え、前記第３のレンズは、前記光軸と平行する前記第１の方向及び／又は前記光軸と直交する第２の方向に移動可能である、ことを特徴とする請求項１に記載の撮像機器。
【請求項８】
前記第２のレンズアセンブリは、前記光軸と平行する前記第１の方向及び／又は前記光軸と直交する前記第２の方向に移動可能な第４のレンズを更に含み、前記第３のレンズが凸レンズである場合、前記第４のレンズは凹レンズであり、前記第３のレンズが凹レンズである場合、前記第４のレンズは凸レンズである、ことを特徴とする請求項７に記載の撮像機器。
【請求項９】
前記第３のレンズ及び前記第４のレンズのうちの一方の厚みは前記光軸と直交する前記第２の方向において上端から下端に向かうにつれて漸減し、前記第３のレンズ及び前記第４のレンズのうちの他方の厚みは前記光軸と直交する前記第２の方向において下端から上端に向かうにつれて漸減する、ことを特徴とする請求項８に記載の撮像機器。
【請求項１０】
前記第３のレンズ及び前記第４のレンズはそれぞれ、前記第２の方向に移動可能であり、前記第３のレンズ及び前記第４のレンズの移動方向が互いに逆である、ことを特徴とする請求項８に記載の撮像機器。
【請求項１１】
前記第３のレンズ及び前記第４のレンズはそれぞれ、前記第１の方向に移動可能であり、前記第３のレンズ及び前記第４のレンズの移動方向が互いに逆である、ことを特徴とする請求項８に記載の撮像機器。
【請求項１２】
第３のレンズアセンブリを更に備え、前記第３のレンズアセンブリは、前記光軸と平行する前記第１の方向において前記第１のレンズアセンブリ及び／又は前記第２のレンズアセンブリよりも被写体側に近く、前記第３のレンズアセンブリは凸レンズを備える、ことを特徴とする請求項１に記載の撮像機器。
【請求項１３】
第４のレンズアセンブリを更に備え、前記第４のレンズアセンブリは、前記光軸と平行する前記第１の方向において前記第１のレンズアセンブリ及び／又は前記第２のレンズアセンブリよりも撮像側に近く、前記第４のレンズアセンブリは凹レンズ又は平面レンズを備える、ことを特徴とする請求項１２に記載の撮像機器。
【請求項１４】
前記第３のレンズアセンブリ及び／又は前記第４のレンズアセンブリは、前記光軸と平行する前記第１の方向において前記第１のレンズアセンブリ及び／又は前記第２のレンズアセンブリに対して移動可能である、ことを特徴とする請求項１３に記載の撮像機器。
【請求項１５】
光軸に沿って画像を作動的に取り込む撮像センサと、
第１のレンズと、第２のレンズとを含むレンズアセンブリであって、前記第１及び第２のレンズが、前記光軸と平行する第１の方向で少なくとも部分的に重なり合うレンズアセンブリと、
前記第１のレンズ及び前記第２のレンズのうちの少なくとも一方が、前記光軸と平行する第１の方向及び／又は前記光軸と直交する第２の方向に移動可能とするように、前記第１のレンズ及び前記第２のレンズのうちの少なくとも一方を制御し移動させる移動装置と、を備える、ことを特徴とする撮像装置。
【請求項１６】
前記移動装置は、前記第１のレンズ又は前記第２のレンズが前記第１の方向及び／又は前記第２の方向に移動するように、前記第１のレンズ及び前記第２のレンズを制御し移動させ、前記第１のレンズ及び前記第２のレンズの移動方向が互いに逆である、ことを特徴とする請求項１５に記載の撮像装置。
【請求項１７】
前記移動装置は、第３のレンズ及び／又は第４のレンズが前記第１の方向及び／又は前記第２の方向に移動するように、前記第３のレンズ及び前記第４のレンズのうちの少なくとも一方を制御し移動させる、ことを特徴とする請求項１５に記載の撮像装置。
【請求項１８】
前記移動装置は、前記第３のレンズ又は前記第４のレンズが前記第１の方向及び／又は前記第２の方向に移動するように、前記第３のレンズ及び前記第４のレンズを制御し移動させ、前記第３のレンズ及び前記第４のレンズの移動方向が互いに逆である、ことを特徴とする請求項１７に記載の撮像装置。
【請求項１９】
撮像装置を備える電子機器であって、
前記電子機器は、
光軸に沿って画像を作動的に取り込む撮像センサと、
第１のレンズと、第２のレンズとを含むレンズアセンブリと、
前記レンズアセンブリを保持するレンズホルダ、とを備え、
前記第１及び第２のレンズは、前記光軸と平行する第１の方向で少なくとも部分的に重なり合い、前記レンズホルダは、前記第１のレンズ及び前記第２のレンズとの間の相対配置を作動的に調整して前記撮像センサ上に前記画像の焦点を合わせる、ことを特徴とする電子機器。
【発明の詳細な説明】
【技術分野】
【０００１】
ここに開示される本発明の主題は撮像に関し、より具体的には、撮像用機器及び撮像用装置に関する。
【背景技術】
【０００２】
現在、カメラはすでにスマート移動端末における不可欠な機器になり、人々はスマート移動端末中のカメラを用いて、いつでもどこでも写真を撮影できる。
【０００３】
ところで同時に、スマート移動端末の絶え間ない世代交代に伴って、カメラの各機能パラメータに対する人々の要求もますます高くなってきているものの、カメラの解像度は往々にしてカメラのレンズのサイズに関係しており、フォーカス精度もまたレンズの枚数に関係することから、カメラ中のレンズ枚数が多くなるほど、サイズも大きくなり、カメラは高性能となる。ところで、従来のスマート移動端末ではサイズが有限であり、もしカメラのサイズが大きくなりすぎると、必然的に移動端末中におけるその他部材のレイアウト及び構造に影響すると同時に、移動端末のサイズが過度に大きくなってしまう。当然のこと、もしカメラ中のレンズの枚数及びサイズを減らすと、撮影する写真の解像度に影響してしまう。
【発明の概要】
【０００４】
本発明の一つの実施形態では、撮像機器は、光軸に沿って画像を作動的に取り込む撮像センサを備える。前記撮像機器は更に、第１のレンズと第２のレンズとを含むレンズアセンブリを備え、前記レンズアセンブリを保持するレンズホルダを備える。前記第１のレンズと第２のレンズは、前記光軸と平行する第１の方向で少なくとも部分的に重なり合う。更に、前記レンズホルダは、前記第１のレンズと前記第２のレンズとの間の相対配置を作動的に調整して前記撮像センサ上に前記画像の焦点を合わせる。
【０００５】
本発明の他の実施形態では、撮像装置を備え、前記撮像装置は光軸に沿って画像を作動的に取り込む撮像センサを備える。前記撮像装置は更に、第１のレンズと第２のレンズとを含むレンズアセンブリを備え、前記第１のレンズと第２のレンズは、前記光軸と平行する第１の方向で少なくとも部分的に重なり合う。前記撮像装置は、前記第１のレンズ又は前記第２のレンズが前記光軸と平行する第１の方向及び／又は前記光軸と直交する第２の方向に移動可能とするよう、前記第１のレンズと前記第２のレンズのうち少なくとも一枚を制御し移動させる移動装置を備える。
【０００６】
上記本発明の実施形態が提供する手法により、撮影写真の解像度を保証する状況にて、カメラのサイズを減少させ、移動端末のサイズ及び構造を最適化することができる。
【図面の簡単な説明】
【０００７】
上記の実施形態をより明確に説明するために、添付の図面にて示される具体的な実施形態を参照して説明を行う。以下の記述中の図面は単に一部実施形態に過ぎず、従って範囲を限定するものとはみなされず、実施形態は、添付図面の使用を通して追加の特定性や細目と共に記述され説明される。
【図１ａ】本発明の第１の実施形態に係るカメラレンズの概略構造図である。
【図１ｂ】本発明の第１の実施形態に係るカメラレンズの概略構造図である。
【図２】本発明の第２の実施形態に係るカメラレンズの概略構造図である。
【図３】本発明の第３の実施形態に係るカメラレンズの概略構造図である。
【図４】本発明の第４の実施形態に係るカメラレンズの概略構造図である。
【図５ａ】本発明の第５の実施形態に係るレンズ形状の略図である。
【図５ｂ】本発明の第５の実施形態に係るレンズ形状の略図である。
【図６ａ】本発明の第６の実施形態に係る撮像装置内の移動装置の概略構造図である。
【図６ｂ】本発明の第６の実施形態に係る撮像装置内の移動装置の概略構造図である。
【図６ｃ】本発明の第６の実施形態に係る撮像装置内の移動装置の概略構造図である。
【発明を実施するための形態】
【０００８】
下記文において、図面を参考して本発明の好ましい実施形態を詳しく説明する。但し、本明細書及び図面において、基本的に同じ工程及び構成要素を有するものは同じ符号で示し、且つこれら工程及び構成要素の重複説明は省略されることに注意されたい。
【０００９】
図１ａ〜１ｂは本発明の第１の実施形態に係るカメラレンズ構造図である。以下では図１ａ〜１ｂを参照して本発明の第１の実施形態のカメラレンズを説明する。図１ａ〜１ｂに示すように、撮像機器１００は、光軸に沿って画像を作動的に取り込む撮像センサ(図示せず)、第１のレンズと第２のレンズを含む第１のレンズアセンブリ、前記第１のレンズアセンブリを保持するレンズホルダ(図示せず)を備える。図１ａ〜１ｂにおいて、左側は被写体側であり、右側は撮像側であって、光は被写体側からカメラレンズ中に進入するとともに、撮像側の感光素子にて画像が形成される。光軸８００は被写体側から取り込んだ光束の中心線であり、つまり該カメラレンズ中にて光学部材からなる光学系の対称軸でもある。本発明の実施形態において、光軸８００と平行となる方向は第１の方向（即ち、図中の左から右への方向）であり、光軸８００と垂直となる方向は第２の方向（即ち、図中の上から下への方向）である。
【００１０】
本発明の一形態によれば、図１ａ〜１ｂ中にて、第１のレンズ１１１及び第２のレンズ１１２は第１の方向で完全に重なるか、又は部分的に重なる。例えば、図１ａにおいて、第１のレンズ１１１及び第２のレンズ１１２は第１の方向で完全に重なる。例えば、遠景の撮影時に、第１のレンズ１１１及び第２のレンズ１１２は完全に重ねることができる。図１ｂにおいて、第１のレンズ１１１及び第２のレンズ１１２は第１の方向で部分的に重なる。例えば、近景の撮影時に、第１のレンズ１１１及び第２のレンズ１１２は部分的に重なることができる。これで、光路を調整し、撮像側で画像を形成する。
【００１１】
レンズのフォーカスを実現するため、第１のレンズ１１１及び第２のレンズ１１２のうちの少なくとも一枚が光軸と垂直となる第２の方向に移動することで、光路を変更する。例えば、第１のレンズ１１１を固定して、第２のレンズ１１２を第２の方向に移動させるが、つまり図１中にて、第２のレンズ１１２が光軸８００と垂直となる方向で上方向又は下方向に移動する。又は、交替可能に、第２のレンズ１１２を固定して、第１のレンズ１１１を第２の方向に移動させるが、つまり図１中にて、第１のレンズが光軸８００と垂直となる方向で上方向又は下方向に移動する。又は、交替可能に、第１のレンズ１１１及び第２のレンズ１１２がそれぞれ第２の方向に移動するが、このうち一方が光軸８００と垂直となる方向で上方向に移動し、他方が光軸８００と垂直となる方向で下方向に移動する。選択的に、第１のレンズ１１１及び第２のレンズ１１２を同時に移動させても、異なるタイミングで移動させても良い。
【００１２】
本発明の一形態によれば、第１のレンズ１１１及び第２のレンズ１１２は同時に第２の方向に移動しつつ、一方が光軸８００と垂直となる方向で上方向に移動し、他方が光軸８００と垂直となる方向で下方向に移動しても良い。
【００１３】
本発明の一形態によれば、第１のレンズ１１１が凸レンズであるとき、第２のレンズ１１２は凹レンズとなり、第１のレンズ１１１が凹レンズであるとき、第２のレンズ１１２は凸レンズとなる。
【００１４】
上記本発明の実施形態により、カメラレンズ中のレンズは光軸と平行となる方向で重ねられるとともに、光軸と垂直となる方向に移動することでフォーカスを実現する。このようなカメラレンズ付きの移動端末で撮影する時、カメラレンズ中のレンズは携帯電話機のメインディスプレイと平行となる方向で横方向に移動可能であることから、従来技術における前後移動と比べると、フォーカス機能を保証すると同時に、カメラレンズを効果的に小型化して、移動端末の厚さも薄くすることができる。
【００１５】
図２は本発明の第２の実施形態に係るカメラレンズの概略構造図である。以下では図２を参照して本発明の第２の実施形態のカメラレンズ２００を説明する。カメラレンズ２００とカメラレンズ１００との相違点は、カメラレンズ２００がカメラレンズ１００の全ての機能及び構造を備える以外に、それに含まれる第１のレンズ２１１及び第２のレンズ２１２は更に第１の方向に移動可能であるところにある。明細書を簡潔にするために、カメラレンズ１００と同じ部分については簡単な説明にとどめる。
【００１６】
図２を参照する。カメラレンズ２００は、第１のレンズ２１１と第２のレンズ２１２とを含む第１のレンズアセンブリを備える。図２において、左側は被写体側であり、右側は撮像側であって、光は被写体側からレンズ中に進入するとともに、撮像側の感光素子にて画像が形成される。光軸８００は被写体側から取り込んだ光束の中心線であり、つまりレンズ中にて光学部材からなる光学系の対称軸でもある。本発明の実施形態において、光軸８００と平行となる方向は第１の方向（即ち、図中の左から右への方向）であり、光軸８００と垂直となる方向は第２の方向（即ち、図中の上から下への方向）である。図２において、本発明の一形態によれば、第１のレンズ２１１及び第２のレンズ２１２は第１の方向で完全に重なるか、又は部分的に重なる。例えば、遠景の撮影時に、第１のレンズ２１１及び第２のレンズ２１２は完全に重ねることができる。近景の撮影時に、第１のレンズ２１１及び第２のレンズ２１２は部分的に重なることができる。これで、光路を調整し、撮像側で画像を形成する。
【００１７】
カメラレンズのフォーカスを実現するため、第１のレンズ２１１及び第２のレンズ２１２のうちの少なくとも一枚が光軸と垂直となる第２の方向に移動することで、光路を変更する。例えば、第１のレンズ２１１を固定して、第２のレンズ２１２を第２の方向に移動させるが、つまり図２中にて、第２のレンズ２１２が光軸８００と垂直となる方向で上方向又は下方向に移動する。又は、交替可能に、第２のレンズ２１２を固定して、第１のレンズ２１１を第２の方向に移動させるが、つまり図２中にて、第１のレンズが光軸８００と垂直となる方向で上方向又は下方向に移動する。又は、交替可能に、第１のレンズ２１１及び第２のレンズ２１２がそれぞれ第２の方向に移動するが、このうち一方が光軸８００と垂直となる方向で上方向に移動し、他方が光軸８００と垂直となる方向で下方向に移動する。本発明の一形態によれば、第１のレンズ２１１及び第２のレンズ２１２は同時に第２の方向に移動しつつ、一方が光軸８００と垂直となる方向で上方向に移動し、他方が光軸８００と垂直となる方向で下方向に移動しても良い。
【００１８】
また、本発明の実施形態の一例によれば、第１のレンズ２１１及び第２のレンズ２１２のうちの少なくとも一枚は第２の方向に移動する以外に、第１の方向にも移動可能である。図２を参照する。第１のレンズ２１１を固定して、第２のレンズ２１２は光軸８００と平行となる方向で左方向又は右方向に移動可能である。又は、交替可能に、第２のレンズ２１２を固定して、第１のレンズ２１１を第１の方向に移動させるが、つまり図２中にて、第１のレンズが光軸８００と平行となる方向で左方向又は右方向に移動する。又は、交替可能に、第１のレンズ２１１及び第２のレンズ２１２がそれぞれ第１の方向に移動するが、このうち一方が光軸８００の方向で左方向に移動し、他方が光軸８００の方向で右方向に移動する。選択的に、第１のレンズ２１１及び第２のレンズ２１２は同時に第１の方向に移動可能であり、一方が光軸８００の方向で左方向に移動し、他方が光軸８００の方向で右方向に移動する。
【００１９】
本発明の一形態によれば、第１のレンズ２１１が凸レンズであるとき、第２のレンズ２１２は凹レンズとなり、第１のレンズ２１１が凹レンズであるとき、第２のレンズ２１２は凸レンズとなる。
【００２０】
上記本発明の実施形態により、カメラレンズ中のレンズは光軸と平行となる方向で重ねられるとともに、光軸と垂直となる方向に移動可能であるばかりでなく、光軸と平行となる方向に移動可能とすることで、多角度全方位フォーカスを実現する。フォーカス動作の精度を高めて、同時に、レンズは光軸と垂直となる方向に移動可能であることで、カメラレンズを小型化して、このカメラレンズを使用した移動端末の厚さも薄くすることができる。
【００２１】
図３は本発明の第３の実施形態に係るカメラレンズを示す例示的な構造図である。以下では図３を参照して本発明の第３の実施形態のカメラレンズ３００を説明する。カメラレンズ３００はカメラレンズ１００又はカメラレンズ２００を基礎として、第２のレンズアセンブリを増設しているが、明細書を簡潔にするために、以下ではカメラレンズ１００又はカメラレンズ２００と同一の部分について、簡単な説明にとどめる。
【００２２】
図３を参照する。カメラレンズ３００は第１のレンズアセンブリ３１０と、第２のレンズアセンブリ３２０とを備える。第１のレンズアセンブリ３１０は第１のレンズ３１１と第２のレンズ３１２とを含む。図３において、左側は被写体側であり、右側は撮像側であって、光は被写体側からレンズ中に進入するとともに、撮像側の感光素子にて画像が形成される。光軸８００は被写体側から取り込んだ光束の中心線であり、つまり該カメラレンズ中にて光学部材からなる光学系の対称軸でもある。本発明の実施形態において、光軸８００と平行となる方向は第１の方向（即ち、図中の左から右への方向）であり、光軸８００と垂直となる方向は第２の方向（即ち、図中の上から下への方向）である。図３において、本発明の一形態によれば、第１のレンズ３１１及び第２のレンズ３１２は第１の方向で完全に重なるか、又は部分的に重なる。例えば、遠景の撮影時に、第１のレンズ３１１及び第２のレンズ３１２は完全に重ねることができる。近景の撮影時に、第１のレンズ３１１及び第２のレンズ３１２は部分的に重なることができる。これで、光路を調整し、撮像側で画像を形成する。
【００２３】
カメラレンズのフォーカスを実現するため、第１のレンズ３１１及び第２のレンズ３１２のうちの少なくとも一枚が光軸と垂直となる第２の方向に移動することで、光路を変更する。例えば、第３のレンズ３１１を固定して、第２のレンズ３１２を第２の方向に移動させるが、つまり図３中にて、第２のレンズ３１２が光軸８００と垂直となる方向で上方向又は下方向に移動する。又は、交替可能に、第２のレンズ３１２を固定して、第１のレンズ３１１を第２の方向に移動させるが、つまり図３中にて、第１のレンズが光軸８００と垂直となる方向で上方向又は下方向に移動する。又は、交替可能に、第１のレンズ３１１及び第２のレンズ３１２がそれぞれ第２の方向に移動するが、このうち一方が光軸８００と垂直となる方向で上方向に移動し、他方が光軸８００と垂直となる方向で下方向に移動する。本発明の一形態によれば、第１のレンズ３１１及び第２のレンズ３１２は同時に第２の方向に移動しつつ、一方が光軸８００と垂直となる方向で上方向に移動し、他方が光軸８００と垂直となる方向で下方向に移動しても良い。
【００２４】
また、本発明の一形態によれば、第１のレンズ３１１及び第２のレンズ３１１のうちの少なくとも一枚は第２の方向に移動する以外に、第１の方向にも移動可能である。図３を参照する。第１のレンズ３１１を固定して、第２のレンズ３１２は光軸８００と平行となる方向で左方向又は右方向に移動可能である。又は、交替可能に、第２のレンズ３１２を固定して、第１のレンズ３１１を第１の方向に移動させるが、つまり図３中にて、第１のレンズが光軸８００と平行となる方向で左方向又は右方向に移動する。又は、交替可能に、第１のレンズ３１１及び第２のレンズ３１２がそれぞれ第１の方向に移動するが、このうち一方が光軸８００の方向で左方向に移動し、他方が光軸８００の方向で右方向に移動する。選択的に、第１のレンズ３１１及び第２のレンズ３１２は同時に第１の方向に移動可能であり、一方が光軸８００の方向で左方向に移動し、他方が光軸８００の方向で右方向に移動する。
【００２５】
本発明の一形態によれば、第１のレンズ３１１が凸レンズであるとき、第２のレンズ３１２は凹レンズとなり、第１のレンズ３１１が凹レンズであるとき、第２のレンズ３１２は凸レンズとなる。
【００２６】
また、本発明の実施形態における一形態によれば、図３を参照して、第２のレンズアセンブリ３２０は第３のレンズ３２１を含む。第３のレンズ３２１は光軸８００と平行となる第１の方向に移動可能であるか、又は光軸８００と垂直となる第２の方向に移動可能である。又は、第３のレンズ３２１は第１の方向に移動しても、又は第２の方向に移動しても良い。第３のレンズ３２１は凸レンズとしても、凹レンズであっても良い。
【００２７】
また、本発明の実施形態における他の一形態によれば、第２のレンズアセンブリ３２０は第４のレンズ３２２を更に含む。第４のレンズ３２２は光軸８００と平行となる第１の方向に移動可能であるか、又は光軸８００と垂直となる第２の方向に移動可能であり、或は、第４のレンズ３２２は第１の方向に移動しても、第２の方向に移動しても良い。本発明の一形態によれば、第３のレンズ３２１及び第４のレンズ３２２はそれぞれ第２の方向に移動可能であり、且つ互いに方向が反対となっている。例えば、図３において、第３のレンズ３２１及び第４のレンズ３２２は同時に第２の方向に移動可能であり、一方が光軸８００と垂直となる方向で上方向に移動し、一方が光軸８００と垂直となる方向で下方向に移動する。本発明の他の一形態によれば、第３のレンズ３２１及び第４のレンズ３２２はそれぞれ第１の方向に移動可能であり、且つ互いに移動方向が反対となっている。例えば、図３において、第３のレンズ３２１及び第４のレンズ３２２は同時に移動し、一方が光軸８００と平行となる方向で左方向に移動し、一方が光軸８００と平行となる方向で右方向に移動する。
【００２８】
また、第４のレンズ３２２は凸レンズとしても、凹レンズであっても良い。本発明の一形態によれば、第３のレンズ３２１が凸レンズであるとき、第４のレンズ３２２は凹レンズとなり、第３のレンズ３２１が凹レンズであるとき、第４のレンズ３２２は凸レンズとなる。
【００２９】
以上、二組のレンズアセンブリのカメラレンズだけを記述しているが、本発明はこれに限らず、例えば、本発明の実施形態において、カメラレンズは二組以上のレンズアセンブリを備えても良い。
【００３０】
上記本発明の実施形態により、カメラレンズ中には複数組のレンズアセンブリを備えており、各組のレンズ中の各々レンズは光軸と垂直となる方向に移動可能であるばかりでなく、光軸と平行となる方向にも移動可能であり、多角度全方位のフォーカスを実現する。フォーカス動作の精度を高めて、同時に効果的にカメラレンズを小型化して、移動端末のサイズを最適化する。
【００３１】
図４は本発明の第４の実施形態に係るカメラレンズの概略構造図である。本発明の第４の実施形態において、前記第１の実施形態から第３の実施形態のいずれか一つのカメラレンズを基礎として、該カメラレンズ１００〜３００は第１のレンズアセンブリ４１０及び／又は第２のレンズアセンブリ４２０を備える以外に、更に第３のレンズアセンブリ４３０を備える。第１のレンズアセンブリ４１０及び第２のレンズアセンブリ４２０については、前述の三つの実施形態と同じであることから、以下で第３のレンズアセンブリ４３０のみについて詳細な説明を行う。
【００３２】
本発明の一形態によれば、第３のレンズアセンブリ４３０は光軸８００と平行となる第１の方向で第１のレンズアセンブリ及び／又は第２のレンズアセンブリ４２０より被写体側に近い。例えば、図４に示すように、第３のレンズアセンブリ４３０が被写体に最も近く、その次が第１のレンズアセンブリ４１０及び第２のレンズアセンブリ４２０となっている。また、第３のレンズアセンブリは、カメラレンズに入射した光を集光するための凸レンズとすることができる。
【００３３】
本発明の一形態によれば、カメラレンズ４００は、光軸と平行となる方向で第１のレンズアセンブリ４１０及び／又は第２のレンズアセンブリ４２０より撮像側に近い第４のレンズアセンブリ４４０を更に備える。例えば、図４に示すように、第４のレンズアセンブリ４４０が撮像側に最も近く、その左側が第２のレンズアセンブリ４２０及び第１のレンズアセンブリ４１０となっている。また、第４のレンズアセンブリは、透過した光を拡散又は平行に出射させ、光路中の光を感光素子上に入射させて撮像するための凹レンズ又は平面レンズとすることができる。
【００３４】
本発明の一形態によれば、第３のレンズアセンブリ４３０及び／又は第４のレンズアセンブリ４４０は光軸８００と平行となる第１の方向で第１のレンズアセンブリ４１０及び／又は第２のレンズアセンブリ４２０に対して移動可能である。例えば、図４において、第３のレンズアセンブリ４３０は光軸８００と平行となる方向で左方向又右方向に移動可能であり、第４のレンズアセンブリ４４０も光軸８００と平行となる方向で左方向又は右方向に移動可能である。
【００３５】
本発明の実施形態では、被写体側寄りの第３のレンズアセンブリ及び撮像側寄りの第２のレンズアセンブリを使用することで、光束を適時に拡散又は集光でき、フォーカスの精度を保証して、画像形成の解像度を高める。
【００３６】
図５ａ〜５ｂは本発明の第５の実施形態に係るレンズ形状を示す例示図である。図５ａ〜５ｂに示す第１のレンズ１１の構造及び形状は、前記第１の実施形態から第４の実施形態におけるカメラレンズ１００からカメラレンズ４００の第１のレンズに適用することができる。第２のレンズ１２の構造及び形状は、前記第１の実施形態から第４の実施形態におけるカメラレンズ１００からカメラレンズ４００の第２のレンズに適用することができる。また、第１のレンズ１１の構造及び形状は、更に前記第３の実施形態から第４の実施形態におけるカメラレンズ３００からカメラレンズ４００の第３のレンズに適用することができる。第２のレンズ１２の構造及び形状は、前記第３の実施形態から第４の実施形態におけるカメラレンズ３００からカメラレンズ４００の第４のレンズに適用することができる。
【００３７】
図５ａを参照する。第１のレンズ１１は凸レンズとすることができ、図５ａの左側が第１のレンズ１１の正面図であり、図５ａの右側が第１のレンズ１１の側面図である。図５ｂを参照する。第２のレンズ１２は凹レンズとすることができ、図５ｂの左側が第２のレンズ１２の正面図であり、図５ｂの右側が第２のレンズ１２の側面図である。本発明の一形態によれば、第１のレンズ１１が被写体側寄りで、第２のレンズ１２が撮像側寄りである。交替可能に、第２のレンズ１２が被写体側寄りで、第１のレンズ１１が撮像側寄りであっても良い。
【００３８】
本発明の一形態によれば、カメラレンズをフォーカスする時、第１のレンズ１１と第２のレンズ１２との協働によりフォーカス動作を行う。例えば、第１のレンズ１１及び第２のレンズ１２のうちの一方が凸レンズであり、他方が凹レンズであり、しかも、このうちの一方の厚さは光軸８００と垂直となる第２の方向で上端から下端に向けて徐々に薄くなり、他方の厚さは光軸８００と垂直となる第２の方向で下端から上端に向けて徐々に薄くなる。このように、光は凸レンズを通じて集光され、更に凹レンズを通じて拡散されることが可能であり、厚さが異なる凸レンズの正の焦点距離が異なることから、光の屈折率は異なり、そして厚さの異なる凹レンズの負の焦点距離が異なることから、光の拡散能力は異なるため、上記した第１のレンズ１１又は第２のレンズ１２の形状に対する設計にて、多角度で光路の方向を変化させることで光をフォーカスすることができ、撮像側で精細な画像が得られる。同様に、第３のレンズ及び第４のレンズも協働動作でき、例えば、第３のレンズ及び第４のレンズのうちの一方の厚さは光軸８００と垂直となる第２の方向で上端から下端に向けて徐々に薄くなり、他方の厚さは光軸８００と垂直となる第２の方向で下端から上端に向けて徐々に薄くなる。
【００３９】
本発明の実施形態における第１のレンズ及び第２のレンズは、これらの形状が独特な設計であるため、効果的に光の拡散又は集光を行って、フォーカス効率及び精度を高めることができる。
【００４０】
本発明の第６の実施形態によれば、前記第１から第５の実施形態におけるカメラレンズを備える撮像装置を提供するものであって、また、第６の実施形態の撮像装置は、レンズホルダ（移動装置の形状で示す）を備える。前記移動装置は、第１のレンズ又は第２のレンズを第１の方向及び／又は第２の方向に移動可能とするよう、前記カメラレンズにおける第１のレンズ及び第２のレンズのうちの少なくとも一枚を移動させる（例えば、制御する）。又は、第３のレンズ又は第４のレンズを第１の方向及び／又は第２の方向に移動可能とするよう、前記カメラレンズにおける第３のレンズ及び第４のレンズのうちの少なくとも一枚を移動させる。
【００４１】
図６は本発明の第６の実施形態に係る撮像装置における移動装置の概略構造図である。図６ａを参照する。該移動装置６００は回転軸６１０と回転軸６２０とを備えており、第１のレンズ６１１及び第２のレンズ６１２を該移動装置６００内に置くと、回転軸６１０及び回転軸６２０は光軸と垂直となる第２の方向で第１のレンズ６１０及び第２のレンズ６１２を移動させることができる。選択的に、第１のレンズ６１１及び第２のレンズ６１２を単独で移動させても、同時に移動させても良い。
【００４２】
図６ｂを参照する。回転軸６１０及び回転軸６２０は光軸と平行となる第１の方向で第１のレンズ６１１及び第２のレンズ６１２を移動させることもできる。選択的に、第１のレンズ６１１及び第２のレンズ６１２を単独で移動させても、同時に移動させても良い。
【００４３】
本発明の一形態によれば、回転軸６１０及び回転軸６２０は第１のレンズ及び第２のレンズを第１の方向又は第２の方向でそれぞれ二つの異なる方向に同時に移動させることができる。
【００４４】
本発明の他の一形態によれば、回転軸６１０及び回転軸６２０は更に第１のレンズ及び第２のレンズを第１の方向又は第２の方向に同時に移動させることができる。例えば、第１の方向及び第２の方向の対角線の方向に移動させることもできる。例えば、第１のレンズ６１１及び第２のレンズ６１２を互いに離れるように、第１の方向及び第２の方向に同時に移動させ、又は、第１のレンズ６１１及び第２のレンズ６１２を互いに近づくように、第１の方向及び第２の方向に同時に移動させることができる。
【００４５】
図６ｃは第１のレンズ６１１及び第２のレンズ６２２を第１の方向及び第２の方向の対角線の方向に移動させる例である。図６ｃを参照する。該移動装置６００は回転軸６１０と回転軸６２０とを備えており、第１のレンズ６１１及び第２のレンズ６１２を該移動装置６００内に置くと、回転軸６１０及び回転軸６２０は更に二本の回転軸の接続線方向で第１のレンズ６１１及び第２のレンズ６１２を移動させることもできる。
【００４６】
本発明の一形態によれば、カメラレンズ中に複数組のレンズがある時、例えば、第２のレンズアセンブリを更に備え、第２のレンズアセンブリが第３のレンズと第４のレンズとを含む時、移動装置６００は同様に第３のレンズ及び／又は第４のレンズを第１の方向及び／又は第２の方向に移動可能とするよう、第３のレンズ及び第４のレンズのうちの少なくとも一枚を移動させる。ここでは別途説明しない。
【００４７】
本発明の実施形態において、撮像装置はカメラレンズと移動装置とを備えており、移動装置はカメラレンズ中のレンズを移動させることができ、移動シフトの正確性を促進して、フォーカスの効率及び精度を高める。
【００４８】
本発明の第７の実施形態によれば、前記実施形態１から実施形態５におけるカメラレンズ又は実施形態６における撮像装置を備える電子機器を提供する。電子機器の具体的なタイプは携帯電話機、パーソナルコンピュータ、ディジタルカメラ、ＰＤＡ、携帯型コンピュータ、コンピュータゲーム機など撮影又は動画機能を備える機器とすることができるが、これに限定されない。
【００４９】
本発明の実施形態により、前記実施形態におけるカメラレンズ又は撮像装置の付いた電子機器を使用する時、カメラレンズ中のレンズは電子機器のメインディスプレイと平行な方向で横方向に移動可能であることから、従来技術におけるディスプレイと垂直な方向での前後移動と比べると、カメラレンズを効果的に小型化して、移動端末の厚さも薄くすることができる。
【００５０】
当業者であれば、本文中に開示する実施形態に記載する各形態のユニット及びアルゴリズム手順に合わせて、電子ハードウェア、コンピュータソフトウェア又は両者の結合で実現することができると認識できる。しかも、ソフトウェアモジュールは任意の形式のコンピュータ記憶メディア内に配置することができる。ハードウェアとソフトウェアとの互換性を明確に説明するために、上記説明中にて、各形態の組成及びステップを機能に応じて一般的な方式で記述済みである。これら機能が果たしてハードウェアかソフトウェアで実行されるかということは、技術手法の特定の応用及び設計の制約的な条件により決定される。当業者は、各々の特定の応用に対して異なる方法で、記述する機能を実現することができるが、これら実現は本発明の範囲を超えるものと認識されるべきではない。
【００５１】
当業者であれば、設計要求及びその他要因により本発明に各種修正、組み合わせ、一部組み合わせ及び置換を行うことができ、これらでありさえすれば別紙の特許請求の範囲及びその等価物の範囲内にあるということを理解するはずである。
【図１ａ】
2017120362.tif 000003
【図１ｂ】
2017120362.tif 000004
【図２】
2017120362.tif 000005
【図３】
2017120362.tif 000006
【図４】
2017120362.tif 000007
【図５ａ】
2017120362.tif 000008
【図５ｂ】
2017120362.tif 000009
【図６ａ】
2017120362.tif 000010
【図６ｂ】
2017120362.tif 000011
【図６ｃ】
2017120362.tif 000012
【外国語明細書】
2017120362000001.pdf